(57)【要約】【課題】四足動物の顔又は頭部の周囲にわたってリング状のバンパー片を突出させる視力の弱い四足動物用バンパーにおいて、四足動物の大きさに合せて調整可能なバンパーを提供する。【解決手段】四足動物の首部に巻く首部ベルト１と胴体に巻く胴体ベルト２とを、これらの各上部で連結する背当てベルト３が設けられ、前記背当てベルト３の両脇の前記首部ベルト１から四足動物の顔又は頭部の前方を囲むリング状バンパー片４が突出し、前記背当てベルト３の首部ベルト１に対する一端３ａ及び前記リング状パンパー片４の一端４ａを前記首部ベルト１に沿って夫々摺動、固定自在に係止し、前記首部ベルト１の長さの調整自在な係止具を設けた。【選択図】        図１
0003221501.tif 000002
【実用新案登録請求の範囲】
【請求項１】
四足動物の首部に巻く首部ベルトと胴体に巻く胴体ベルトとを、これらの各上部で連結する背当てベルトが設けられ、前記背当てベルトの両脇の前記首部ベルトから四足動物の顔又は頭部の前方を囲むリング状バンパー片が突出し、前記背当てベルトの首部ベルトに対する一端及び前記リング状パンパー片の一端を前記首部ベルトに沿って夫々摺動、固定自在に係止し、前記首部ベルトの長さの調整自在な係止具を設けたことを特徴とする、視力の弱い四足動物用バンパー。
【請求項２】
前記首部ベルトの長さの調整自在な係止具は、当該首部ベルトの一端又は両端にバックル、長い幅の面ファスナー又は複数のスナップのいずれかであり、当該首部ベルトの一端に対して他端の任意の位置で係止する構造としたことを特徴とする、請求項１に記載の視力の弱い四足動物用バンパー。
【請求項３】
前記胴体ベルトはその両端を係止するバックル、及び胴体ベルトの長さを調整するアジャスタをそれぞれ有することを特徴とする、請求項１又は２に記載の視力の弱い四足動物用バンパー。
【請求項４】
前記背当てベルトを短くし、前記首部ベルトの上部と前記胴体ベルトの上部を近接させたことを特徴とする、請求項１〜３のいずれかに記載の視力の弱い四足動物用バンパー。
【考案の詳細な説明】
【技術分野】
【０００１】
この考案は、視力の弱った四足動物、例えば、犬、猫の頭部を保護するため、四足動物に装着して顔又は頭部から前方に突き出し、四足動物が障害物に当たった際の衝撃を吸収する緩衝用のバンパーに関するものである。
【背景技術】
【０００２】
犬の白内障、緑内障、進行性網膜委縮症などの眼病は、犬の疾患の中でも４位を占めるほど多い。言葉で症状を伝えられず、元来近視で情報受信を臭覚に頼っている犬なので、飼い主が愛犬の目の異常に気付かず、発見が遅れてしまい愛犬が失明に至ってしまうケースが多い。
【０００３】
犬の視力が弱まったり、犬が視力を失ってしまうと犬が動いた際、犬の顔や頭部の高さにある家具や荷物等の障害物に犬がぶつかり、犬の体、特に頭部を傷つけてしまうおそれがある。従って、この様な犬は次第に散歩や遊びで動くことが減ってしまい、体力や筋力の低下を招く。また、ストレスも蓄積される。
【０００４】
そこで、特許文献１に示す様な、視力の弱い四足動物の為のバンパーが開発された。当該バンパーは四足動物の首部から胴体にかけて体の両側に本体フレームを設けて当該本体フレームの前部に逆Ｕ字型の首フレーム、後部に胴体を巻き回す後方ベルトを設け、前記両側の本体フレームの前端から四足動物の顔や頭部の前方を囲むように輪状の弾性変形可能な材質から成るバンパー片を突出させたものである。
【０００５】
また、特許文献２の視力の弱い四足動物の為のバンパーは、四足動物に着せるベスト型ハーネスの背中に基部を固定し、当該基部から四足動物の顔や頭部の前方を囲むように輪状の弾性変形可能な材質から成るバンパー片を突出させたものである。これらのバンパーを装着することにより、四足動物が動いて家具や外の設置物に当たる際に、これらのバンパーが当たり、衝撃を吸収してくれるため、当該四足動物は大きな衝撃を受けず、顔や頭を傷つけたりしないものである。
【先行技術文献】
【特許文献】
【０００６】
【特許文献１】実用新案登録第３２１４２８５号公報
【特許文献１】実用新案登録第３２１６４３５号公報
【考案の開示】
【考案が解決しようとする課題】
【０００７】
しかしながら、前記特許文献１や２のものは、それぞれの四足動物、例えば犬によって体の大きさが異なるため、当該バンパーを装着する犬の大きさや各部のサイズを測り、装着する犬のサイズにあったバンパーを製作しなければならない。従って、予めバンパーを装着する犬の各部のサイズの採寸が必要であり、それだけ製作に時間や手間がかかり、製造コストが高価なものになってしまい、普及されていないのが現状である。
【０００８】
そこで、この考案はこれらの点に着目し、装着する四足動物のサイズに合わせて大きさや位置を調整可能な視力の弱い四足動物用バンパーを提供することを目的としたものである。
【課題を解決するための手段】
【０００９】
請求項１の考案は、四足動物の首部に巻く首部ベルトと胴体に巻く胴体ベルトとを、これらの各上部で連結する背当てベルトが設けられ、前記背当てベルトの両脇の前記首部ベルトから四足動物の顔又は頭部の前方を囲むリング状バンパー片が突出し、前記背当てベルトの首部ベルトに対する一端及び前記リング状パンパー片の一端を前記首部ベルトに沿って夫々摺動、固定自在に係止し、前記首部ベルトの長さの調整自在な係止具を設けた、視力の弱い四足動物用バンパーとした。
【００１０】
また、請求項２の考案は、前記首部ベルトの長さの調整自在な係止具は、当該首部ベルトの一端又は両端にバックル、長い幅の面ファスナー又は複数のスナップのいずれかであり、当該首部ベルトの一端に対して他端の任意の位置で係止する構造とした、請求項１に記載の視力の弱い四足動物用バンパーとした。
【００１１】
また、請求項３の考案は、前記胴体ベルトはその両端を係止するバックル及び胴体ベルトの長さを調整するアジャスタをそれぞれ有する、請求項１又は２に記載の視力の弱い四足動物用バンパーとした。
【００１２】
また、請求項４の考案は、前記背当てベルトを短くし、前記首部ベルトの上部と前記胴体ベルトの上部を近接させた、請求項１〜３のいずれかに記載の視力の弱い四足動物用バンパーとした。
【考案の効果】
【００１３】
請求項１〜４の考案によれば、目の不自由な四足動物、例えば犬に、当該四足動物用バンパーを装着してあげれば、リング状のバンパー片が犬の顔又は頭部の前方、側面を囲むため、犬は自由に歩きまわって、当該犬の顔や頭部が壁や障害物に当たる前に当該バンパー片がこれらの障害物等に当たり、その際の衝撃をバンパー片が変形してこれを吸収乃至和らげ、犬に大きな衝撃を与えない。従って、視力の弱い犬でも安心して散歩や家の中で走り回ることが出来る。これは犬に限らず、四足の動物であれば同様の効果を奏する。
【００１４】
また、この考案は、前記首部ベルトに係止した背当てベルトの一端及びリング状パンパー片の一端を前記首部ベルトに沿って摺動、固定自在に係止したものであるため、装着する四足動物の大きさに合せて、首部ベルトの長さを調整し、リング状バンパー片の一端を首部ベルトに沿って移動させ、また、これに合わせて背当てベルトの首部ベルトに対する位置を移動させることにより、当該リング状バンパー片が四足動物の顔等の中心に来るように位置を調整することが出来る。
【００１５】
従って、この考案の視力の弱い四足動物用バンパーを、大、中、小の３つのサイズを用意しておき、各サイズごとに、リング状バンパー片の首部ベルトに対する位置や背当てベルトの位置を調整でき、さらに首部ベルト及び胴体ベルトの長さを調整できるため、当該バンパーを装着する動物の採寸を予めとる必要がなく、また、従来のものと比べて部品点数も少ないため、当該バンパーの製造コストを安価にすることができる。
【００１６】
また、特に請求項４の考案によれば、背当てベルトを短くして首部ベルトと胴体ベルトの上部を近接させることにより、四足動物の前足の前後で首部ベルトと胴体ベルトを動物の体にしっかりと固定することが出来、リング状バンパー片の位置がずれたりすることがない。
【図面の簡単な説明】
【００１７】
【図１】この考案の実施の形態例１の四足動物用バンパーＡの斜視図である。
【図２】この考案の実施の形態例１の四足動物用バンパーＡの首部ベルト及びリング状バンパー片の斜視図である。
【図３】この考案の実施の形態例１の四足動物用バンパーＡの胴体ベルトの斜視図である。
【図４】この考案の実施の形態例１の四足動物用バンパーＡの首部ベルトに対する背当てベルト及びリング状バンパー片の係止構造を示す拡大斜視図である。
【図５】この考案の実施の形態例１の四足動物用バンパーＡの首部ベルトを短くした状態の斜視図である。
【図６】この考案の実施の形態例１の四足動物用バンパーＡの首部ベルトを長くした状態の斜視図である。
【図７】この考案の実施の形態例１の四足動物用バンパーＡを犬Ｄに装着した状態の側面図である。
【考案を実施するための形態】
【００１８】
（実施の形態例１）
この考案の実施の形態例１の四足動物用バンパーＡを図１〜７に基づいて説明する。
【００１９】
四足動物の首部に巻く首部ベルト１と胴体に巻く胴体ベルト２とを、これらの各上部で連結する短い背当てベルト３が設けられている。また、前記首部ベルト１の、前記背当てベルト３の両脇から四足動物の顔又は頭部の前方を囲むリング状バンパー片４が突出している。
【００２０】
また、前記背当てベルト３の首部ベルト１に接続した一端３ａ及び前記リング状パンパー片４の一端４ａは前記首部ベルト１に沿って夫々摺動、固定自在に係止されている。これは、図４に示すように、前記背当てベルト３の一端１ａが、首部ベルト１を挟んで折返され、折返された一端をリベット５により背当てベルト３の本体に止めている。
【００２１】
また、同時に当該リベット５を挟んだ背当てベルト３の他端３ｂも同様に胴体ベルト２を挟んで折返され、前記リベット５で固定されている。これらの背当てベルト３の折返した一端３ａ及び他端３ｂは、首部ベルト１又は胴体ベルト２を挟持しているため、摩擦によりそのままの位置を保持しており、強く引っ張れば移動可能な構成となっている。これにより背当てベルト３は首部ベルト１に対して、又胴体ベルト２に対して摺動、固定自在となっている。
【００２２】
また、前記リング状バンパー４の一端４ａは、図４に示すように、首部ベルト１を挟んで折返され、リベット６で固定されている。このリング状バンパー片４は一定の剛性を有すると共に弾性を有し、障害物に当たった際の衝撃を吸収し、かつ弾性により元の形状に戻る。また、このリング状バンパー片４の折返した一端４ａは前記首部ベルト１を挟持しているため、摩擦によりそのままの位置を保持しており、強く引っ張れば移動可能な構成となっている。従って、前記リング状バンパー４の一端４ａは首部ベルト１に沿って摺動、固定自在となっている。また、前記リング状バンパー４の他端４ｂは、背当てベルト３を挟んだ反対側の首部ベルト１にリベット７で固定されている。
【００２３】
また、前記首部ベルト１の一端１ａの外側面には短い幅の雄部面ファスナー８ａが設けられ、他端１ｂの内側面には長い幅の雌部面ファスナー８ｂが貼着され、雄部面ファスナー８ｂを雌部面ファスナー８ａの任意の箇所に押圧することにより首部ベルト１は長さ調整自在となっている。
【００２４】
なお、この雄部面ファスナー８ａ，雌部面ファスナー８ｂに替えて、一端１ａの外側面に一つのスナップを設け、他端１ｂの内側面に複数のスナップを長手方向に設けて長さ調整自在な係止具としたり、一端１ａにバックルを設けて他端１ｂをバックルに通し、バックルに通した他端１ｂの長さを変えれば、首部ベルト１の長さが調整できる係止具となる。
【００２５】
また、前記胴体ベルト２は図１及び図３に示すように、前記背当てベルト３の他端３ｂに通しており、背当てベルト３に対して摺動、固定自在となっており、その両端にはバックル９の雄部９ａ、雌部９ｂが夫々設けられ、当該バックル９により胴体ベルト２の両端２ａ、２ｂは着脱自在となっている。また、当該胴体ベルト２の一端２ｂは折返してアジャスタ１０に係止されている。従って、前記胴体ベルト２は長さ調整が自在となっている。
【００２６】
以上の構成により、当該四足動物用バンパーＡを装着する犬が小型の場合は、図５に示すように、首部ベルト１に対するリング状バンパー片４の一端４ａの位置を、首部ベルト１の一端１ａより内側に移動させ、これに伴い、背当てベルト３の一端３ａの位置をより内側に移動させる。そして犬に当該四足動物用バンパーＡを装着させ、犬の首の大きさに合せて首部ベルト１の一端１ａの雄部面ファスナー８ａを他端１ｂの雌部面ファスナー８ｂの奥部箇所に止める。
【００２７】
また、当該四足動物用バンパーＡを装着する犬が大型の場合は、図６に示すように、首部ベルト１に対するリング状バンパー片４の一端４ａの位置を、首部ベルト１の一端１ａ側に移動させ、これに伴い、背当てベルト３の一端３ａの位置をより一端１ａ側に移動させる。そして犬に当該四足動物用バンパーＡを装着させ、犬の首の大きさに合せて首部ベルト１の一端１ａの雄部面ファスナー８ａを他端１ｂの雌部面ファスナー８ｂの端部箇所に止める。
【００２８】
これらの操作により、当該四足動物用バンパーＡを装着する犬が大きくても小さくても大きさに関わらず、犬の顔の中心位置にリング状バンパー片４を合わせることが出来る。
これにより
【００２９】
これにより、図７に示すように、当該四足動物用バンパーＡを装着した犬Ｄは、リング状バンパー片４が犬Ｄの顔又は頭部を囲んで突出する。従って、犬Ｄが歩いたりして動いて電柱や家具等の障害物に当たった際、前記バンパー片４がこれらに当たって、バンパー片４の弾性変形で衝撃を吸収し、犬Ｄは直接的な衝撃を受けない。かつ障害物から犬Ｄが離れれば、バンパー片４は弾性により元の形に戻る。
【００３０】
なお、上記の実施の形態例１では、背当てベルト３の一端及びリング状バンパー片４の一端を、首部ベルト１を挟持して折返した構成にし、背当てベルト３の一端及びリング状バンパー片４の一端を首部ベルト１に摺動自在、固定自在としているが、この背当てベルト３の一端及びリング状バンパー片４の一端を首部ベルト１に摺動自在、固定自在とする構造は他の構造にすることも可能である。
【００３１】
また、前記背当てベルト３を短いもにし、首部ベルト１の上部と胴体ベルト２の上部を近接させて連結すると、四足動物の前足の前後に首部ベルト１と胴体ベルト２を巻き付けた際、これらの連結が強固に安定し、首部ベルト１から突出したリング状バンパー片４の位置が動いたりしない。
【符号の説明】
【００３２】
Ａ      四足動物用バンパー          Ｄ      犬
１      首部ベルト                  １ａ    一端
１ｂ    他端                        ２      胴体ベルト
２ａ    一端                        ２ｂ    他端    
３      背当てベルト                ３ａ    一端
３ｂ    他端                        ４      リング状バンパー片
４ａ    一端                        ４ｂ    他端
５      リベット                    ６      リベット
７      リベット                    ８ａ    雄部面ファスナー
８ｂ    雌部面ファスナー            ９      バックル
９ａ    雄部                        ９ｂ    雌部
１０    アジャスタ
【図１】
0003221501.tif 000003
【図２】
0003221501.tif 000004
【図３】
0003221501.tif 000005
【図４】
0003221501.tif 000006
【図５】
0003221501.tif 000007
【図６】
0003221501.tif 000008
【図７】
0003221501.tif 000009